(57)【特許請求の範囲】
【請求項１】
国道沿い，私鉄沿い等の道路，鉄道を挟んだ対面する建造物存在のマンション等建造物における高層階のベランダスラブ，庇等の室外側に突出乃至露出した屋外天井面に設置して，対面する建造物の反射により高層階に無方向的に到来する道路又は鉄道の車両による反射屋外騒音を室外側に再反射して上記高層階の室内に至るのを防止する上下高さを３乃至１５ｃｍとした天井パネルであって，室内側及び室外側に向けて下降傾斜した内角を直角又は略直角とした音波反射傾斜面を内外交互に配置することによって下向き開口多数の音波反射傾斜面を屋外天井面の奥行方向に連続配置して形成し，上記対面する建造物の反射による無方向的な反射屋外騒音を該音波反射傾斜面内で室外側に向けて再反射自在としてなることを特徴とするマンション等建造物の反射屋外騒音再反射用天井パネル。
【請求項２】
上記音波反射傾斜面の室外側に向けて下降傾斜した傾斜面を，室内側に向けて下降傾斜した傾斜面より幅広長寸化して該音波反射傾斜面の室外側に向けて傾斜突出する突出傾斜面を追加的に配置してなることを特徴とする請求項１に記載のマンション等建造物の反射屋外騒音再反射用天井パネル。
【請求項３】
室内側及び室外側に向けて下降傾斜した内角を直角又は略直角とした音波反射傾斜面を内外交互に配置することによって下向き開口多数の音波反射傾斜面を屋外天井面の奥行方向に連続配置して形成し，対面する建造物の反射による無方向的な反射屋外騒音を該音波反射傾斜面内で室外側に向けて再反射自在とした上下高さを３乃至１５ｃｍとした反射屋外騒音再反射用天井パネルを，国道沿い，私鉄沿い等の道路，鉄道を挟んで対面する建造物が存在するマンション等建造物における高層階のベランダスラブ，庇等の室外側に突出乃至露出した屋外天井面に設置して，上記対面する建造物の反射による無方向的な反射屋外騒音を音波反射傾斜面内で室外側に再反射して高層階の室内に至るのを防止してなることを特徴とする反射屋外騒音再反射用天井パネル設置のマンション等建造物。
【発明の詳細な説明】
【技術分野】
【０００１】
本発明は，例えば道路等の対面する建造物に反射した反射屋外騒音を庇，ベランダスラブ等の屋外天井面で反射して高層階の室内に至るのを防止するように用いるマンション等建造物の反射屋外騒音再反射用天井パネル及びこれを設置したマンション等の建造物に関する。
【背景技術】
【０００２】
例えば鉄道沿いの建造物の室内に鉄道を走行する車両が発する騒音が伝搬するのを防止する目的で，室内側に向けて下降傾斜した平行多数の反射面とこれらの上下端間の垂直な連結面を断面鋸刃状をなすように交互に配置した反射パネルを，ベランダスラブの屋外天井面に設置し，該反射パネルの室内側に向けて傾斜した反射面によって鉄道車両の騒音を室内側に下降傾斜する反射面によって室外側に向けて反射するようにしたマンション等の建造物が提案されている。
【０００３】
【特許文献１】特開２００４−１６２２７４号公報
【発明の開示】
【発明が解決しようとする課題】
【０００４】
しかし乍らこの場合，室内側に向けて下降傾斜した反射面に対する上記騒音は，最も室外側に位置するものにあっては室外側に反射することが可能であるが，その余の多数の室内側に向けて下降傾斜した反射面にあっては，該騒音が該反射面によって入射角と同一角度で反射して垂直な連結面に至り，該垂直な連結面によって室内側に向けて再度反射されて室内に至る結果となり，従って上記反射パネルを屋外天井面に設置しても，該騒音が室内側に伝搬するのを防止することができないことになる。
【０００５】
例えば，国道沿いのマンション，私鉄沿いのマンション等は，道路，鉄道を挟んで対面する建造物が存在しているのが通常であるところ，道路や鉄道の車両の騒音は下層階と同様に高層階の室内にも伝搬して居住者の悩みとなっているが，下層階と同様に高層階に車両の騒音が伝搬するのは，図１に示すように該騒音が対面する建造物に反射して幅広の角度で屋外天井面に至り，屋外天井面から室内側に対して反射されるためと見られるところ，上記従来のものにあって該騒音の室内側への伝搬を防止できないのは，このように対面する建造物が存在することによる建造物の反射屋外騒音（間接屋外騒音といってもよい）が，特に無方向的ともいうべく幅広の角度で屋外天井面に伝搬するとともに上記垂直の連結面が室内側に向けた再反射を行なって，むしろ屋外騒音の取り入れを行なう結果を招来するからである。
【０００６】
本発明はかかる事情に鑑みてなされたもので，その解決課題とするところは，道路，鉄道を挟んだ対面する建造物によって反射して高層階に無方向的に到来する反射屋外騒音を簡易な構造で確実に室外側に再反射することによって室内側への伝搬を可及的高度に防止して，その遮音をなし得るようにしたマンション等建造物の反射屋外騒音再反射用天井パネルを提供するにあり，また該反射屋外騒音再反射用天井パネルを設置して反射屋外騒音の室外側への再反射による高層階の室内側への伝搬を可及的高度に防止して，その遮音をなし得るようにしたマンション等建造物を提供するにある。
【課題を解決するための手段】
【０００７】
上記課題に添って本発明は，室内側及び室外側に下降傾斜した内角を直角又は略直角とした音波反射傾斜面を内外交互に配置することによって，下向き開口多数の音波反射傾斜面を上記屋外天井面の奥行方向に連続配置するとともに上下高さを３乃至３乃至１５ｃｍとした音波反射用天井パネルを形成し，該音波反射傾斜面内で常に反射屋外騒音を室外側に向けて再反射することによって高層階の屋外天井面に到達した対面する建造物の反射屋外騒音を室外側に再反射して室内に至るのを防止して，その可及的高度にして常時の遮音をなし得るようにしたものであって，即ち請求項１に記載の発明を，国道沿い，私鉄沿い等の道路，鉄道を挟んだ対面する建造物存在のマンション等建造物における高層階のベランダスラブ，庇等の室外側に突出乃至露出した屋外天井面に設置して，対面する建造物の反射により高層階に無方向的に到来する道路又は鉄道の車両による反射屋外騒音を室外側に再反射して上記高層階の室内に至るのを防止する上下高さを３乃至１５ｃｍとした天井パネルであって，室内側及び室外側に向けて下降傾斜した内角を直角又は略直角とした音波反射傾斜面を内外交互に配置することによって下向き開口多数の音波反射傾斜面を屋外天井面の奥行方向に連続配置して形成し，上記対面する建造物の反射による無方向的な反射屋外騒音を該音波反射傾斜面内で室外側に向けて再反射自在としてなることを特徴とするマンション等建造物の反射屋外騒音再反射用天井パネルとしたものである。
【０００８】
請求項２に記載の発明は，同じく上記に加えて，上記音波反射傾斜面の幅を室内外異幅，特に室外側に向けて下降傾斜する傾斜面を幅広とすることによって該音波反射傾斜面内に至る上記反射屋外騒音を減少するとともに該音波反射傾斜面間に至った反射屋外騒音の室内側への再反射の可能性を可及的確実に防止して，反射屋外騒音の室内側に向けた伝搬を更に高度に防止して，反射屋外騒音の遮音を極めて有効且つ確実になし得るものとするように，これを，上記音波反射傾斜面の室外側に向けて下降傾斜した傾斜面を，室内側に向けて下降傾斜した傾斜面より幅広長寸化して該音波反射傾斜面の室外側に向けて傾斜突出する突出傾斜面を追加的に配置してなることを特徴とする請求項１に記載のマンション等建造物の反射屋外騒音再反射用天井パネルとしたものである。
【０００９】
請求項３に記載の発明は，上記反射屋外騒音再反射用天井パネルを用いた上記マンション等建造物を提供するように，これを，室内側及び室外側に向けて下降傾斜した内角を直角又は略直角とした音波反射傾斜面を内外交互に配置することによって下向き開口多数の音波反射傾斜面を屋外天井面の奥行方向に連続配置して形成し，対面する建造物の反射による無方向的な反射屋外騒音を該音波反射傾斜面内で室外側に向けて再反射自在とした上下高さを３乃至１５ｃｍとした反射屋外騒音再反射用天井パネルを，国道沿い，私鉄沿い等の道路，鉄道を挟んで対面する建造物が存在するマンション等建造物における高層階のベランダスラブ，庇等の室外側に突出乃至露出した屋外天井面に設置して，上記対面する建造物の反射による無方向的な反射屋外騒音を音波反射傾斜面内で室外側に再反射して高層階の室内に至るのを防止してなることを特徴とする反射屋外騒音再反射用天井パネル設置のマンション等建造物としたものである。
【００１０】
本発明はこれらをそれぞれ発明の要旨として上記課題解決の手段としたものである。
【発明の効果】
【００１１】
本発明は以上のとおりに構成したから，請求項１に記載の発明は，室内側及び室外側に下降傾斜した内角を直角又は略直角とした音波反射傾斜面を内外交互に配置することによって，下向き開口多数の音波反射傾斜面を上記屋外天井面の奥行方向に連続配置するとともに上下高さを３乃至３乃至１５ｃｍとした音波反射用天井パネルを形成し，該音波反射傾斜面内で常に反射屋外騒音を室外側に向けて再反射することによって高層階の屋外天井面に到達した対面する建造物の反射屋外騒音を室外側に再反射して室内に至るのを防止して，その可及的高度にして常時の遮音をなし得るようにしたマンション等建造物の反射屋外騒音再反射用天井パネルを提供することができる。
【００１２】
請求項２に記載の発明は，同じく上記に加えて，上記音波反射傾斜面の幅を室内外異幅，特に室外側に向けて下降傾斜する傾斜面を幅広とすることによって該音波反射傾斜面内に至る上記反射屋外騒音を減少するとともに該音波反射傾斜面間に至った反射屋外騒音の室内側への再反射の可能性を可及的確実に防止して，反射屋外騒音の室内側に向けた伝搬を更に高度に防止して，反射屋外騒音の遮音を極めて有効且つ確実になし得るものとすることができる。
【００１３】
請求項３に記載の発明は，同じく上記に加えて，上記反射屋外騒音再反射用天井パネルを設置して対面する建造物の反射屋外騒音の室外側への再反射によって室内側への伝搬を可及的高度に防止して，その遮音をなし得るようにした反射屋外騒音再反射用天井パネル設置のマンション等建造物を提供することができる。
【発明を実施するための最良の形態】
【００１４】
以下図面の例に従って本発明を更に具体的に説明すれば，Ａはマンション等建造物であり，該建造物Ａは，反射屋外騒音再反射用天井パネル１０を，国道沿い，私鉄沿い等の道路，鉄道を挟んだ対面する建造物存在のマンション等建造物における高層階のベランダスラブ，庇等の室外側に突出乃至露出した屋外天井面，本例にあってはベランダスラブの屋外天井面Ｂに設置して，上記対面する建造物の反射による無方向的な反射屋外騒音を音波反射傾斜面内で室外側に再反射して高層階の室内に至るのを防止してあり，このとき反射屋外騒音再反射用天井パネル１０は，室内側及び室外側に向けて下降傾斜した内角を直角又は略直角としたとした音波反射傾斜面１１を内外交互に配置することによって下向き開口多数の音波反射傾斜面１１を上記屋外天井面Ｂの奥行方向に連続配置して形成し，上記無方向的な反射屋外騒音を該反射傾斜面１１内で室外側に再反射自在とした上下高さを３乃至１５ｃｍとしたものとしてある。
【００１５】
反射屋外騒音再反射用天井パネル１０は，例えばアルミ，ステンレス等の金属，ポリカーボネート，塩化ビニール等の合成樹脂等の音波反射性を有する硬質材によって，屋外天井面Ｂの奥行方向に一体に形成したもの，該奥行方向に複数乃至多数のパネル要素を連結したものを用いることによって該奥行方向に拡開対向傾斜面１１を一連に連続配置したものとしてあり，例えば硬質材による板材を折曲加工し，また押出加工することによって一体に形成し，単一の傾斜面をなすパネル要素を隣接相互に溶着，嵌合等の固定手段によって固定し，また，例えば単一乃至複数の拡開対向傾斜面１１をなすように室内外に向けて下降傾斜した一対乃至複数対のパネル要素を隣接相互に同様に固定手段によって固定して，奥行方向に連結したものとしてある。
【００１６】
反射屋外騒音再反射用天井パネル１０は，その音波反射傾斜面１１が上記室内側に向けて下降傾斜した傾斜面１２と室外側に向けて下降傾斜した傾斜面１３を上記連続配置することによって内角を直角又は略直角，即ち音波反射傾斜面１１の頂角を通る垂直線に対して同一対称角度の対向２面によって下向き拡開Ｖ字状をなすものとしてあり，これによって屋外天井面Ｂ奥行方向の各音波反射傾斜面１１がこれに至った反射屋外騒音を可及的に室外側に再反射するようにしてある。
【００１７】
即ち反射屋外騒音は，音源から対面する建造物に反射した反射騒音であり，その屋外天井面Ｂに至る角度は無方向的というべく幅広のものとなるために音波反射傾斜面１１，特に室外側に向けて下降傾斜する傾斜面１３に対する屋外騒音の入射角度は多様であり，該音波反射傾斜面１１に至った屋外騒音は，その入射角度と同一角度で反射することによって，図５のように室内側に向けて下降傾斜した傾斜面１２に当たって直接に室外側に反射されるか，図６のように室内側に向けて下降傾斜した傾斜面１２に当った後に更に室外側に向けて下降傾斜した傾斜面１３に向けて反射し，該傾斜面１３から室外側に再反射されるようにして，これが室内側に反射されるのを阻止して，その可及的高度にして常時の遮音をなし得るようにしてある。
【００１８】
本例にあって該音波反射傾斜面１１は，その拡開角度，即ちそのＶ字状の下向き開口の頂角の内角を上記直角又は略直角をなすものとしてあり，これによって反射角度が入射角度と同一角度であることから，水平方向乃至直交方向のいずれの場合の騒音に対しても音波反射傾斜面１１が上記室外側に向けた直接の反射を行なうか，音波反射傾斜面１１間の反射を経て室外側に向けた再反射を行なうようにしてあり，マンション等の建造物に対する騒音は，上層階で傾斜方向の反射騒音となるところ，上記水平方向乃至直交方向の範囲で反射屋外騒音を室外側に向けて反射することによって，高層階の屋外天井面Ｂを介して室内側に伝搬する屋外騒音を更に有効且つ確実に防止し，その好ましい遮音を行うことができるようにしてある。
【００１９】
内角を直角又は略直角とすることによって音波反射用パネル１０の室内側及び室外側に向けて下降傾斜する傾斜面１２，１３は４５°又は略４５°と角度となり，音波反射用天井パネル１０は，屋外天井面Ｂとの間で連続する直角２等辺三角形を形成するように音波反射傾斜面１１を配置したものとなるから，該内角を直角又は略直角としてあり，これによって上記直接の反射と再反射の確実性をより向上することができる。
【００２０】
音波反射用天井パネル１０の形成に際して，その屋外天井面Ｂに対する，例えばアンカー固定部位をなすように，またパネル要素の連結を行う場合にその連結部位をなすように，音波反射傾斜面１１の頂角部分を裁頭し又は該頂角部分を塞ぐ如くに屋外天井面Ｂの幅方向に帯状をなす帯幅部分を，全て又は一部の拡開対向傾斜面１１の上端に配置することが可能であるが，この場合もその延長線による頂角が直角又は略直角となるように音波反射傾斜面１１の内角を設定するものとしてある。帯幅部分を広く形成すれば垂直方向等一部の反射屋外騒音が室内側に向う可能性が残るが，この種の屋外騒音は少ないので実用上然程の影響は生じないので，該帯幅部分が幅広となることによって実用上の影響が生じるものを除いて，上記固定や連結のために比較的幅狭の帯幅部分を，音波反射傾斜面１１の上端に配置することを妨げない。
【００２１】
音波反射用天井パネル１０は，屋外天井面Ｂの奥行方向にその高さを，上記例の如くに同一とすることができるが，更に該高さを連続的又は断続的に高くすることによって奥行方向に高く形成する異高のものとすることができる。また拡開対向傾斜面１１は屋外天井面Ｂの奥行方向にその拡開角度を同一とすることが好ましい。一般に音波反射用天井パネル１０の上下高さは，これを上記３乃至１５ｃｍのものとすればよいが，遮音性を確保するとともに屋外天井面Ｂが低くなるのを防止し且つ設置外観を確保する上では，５乃至１０ｃｍとするのが好ましい。
【００２２】
図７，８は，他の例を示すもので，本例にあって音波反射用天井パネル１０は，その上記音波反射傾斜面の１１室外側に向けて下降傾斜した傾斜面１３を，室内側に向けて下降傾斜した傾斜面１２より幅広長寸化して該音波反射傾斜面１１の室外側に向けて傾斜突出する突出傾斜面１４を追加的に配置したものとしてある。
【００２３】
本例の音波反射用天井パネル１０は，上記例のもの，例えば音波反射傾斜面１１の拡開角度を直角としたものの該音波反射傾斜面１１におけるその室外側に向けて下降傾斜した傾斜面１２を，例えば該傾斜面１２の２倍程度に幅広長寸化して該拡開対向傾斜面１１の幅を室内外異幅のものとしてあり，その突出傾斜面１４によって反射屋外騒音の再反射を促進して音波反射傾斜面１１内に至る屋外騒音を減少するとともに該音波反射傾斜面１１間に至った反射屋外騒音の室外側への再反射の可能性を可及的確実に防止したものとしてある。該室外側に向けて下降傾斜する傾斜面１３の幅広長寸化は，屋外天井面Ｂの奥行方向にその一部，例えば１つ乃至２つ置きに行なうようにすることも可能であるが，本例にあってはその全部について幅広長寸化を施したものとして，該反射の促進と室外側への再反射の可能性を可及的高度のものとし，また上記突出傾斜面１４が室外側に向いた面をなすことによって室内側からの外観を良好なものとするようにしてある。
【００２４】
その余は上記例と変らないので同一符合を付して重複する説明を省略する。
【００２５】
図示した例は以上のとおりとしたが，屋外天井面は，例えばベランダの天井面をなす以外の，室外側に突出した庇の裏面，音源に向けて開口した室外側に露出した階段のコンクリートスラブ面としてこれに上記音波反射天井パネルを設置するようにすること，音波反射天井パネルの裏面に，例えばウレタンの吹付け等適宜の吸音材を追加的に配置して反射に際して屋外騒音の減衰をなし得るようにすること，合成樹脂の中実押出材によって形成すること，合成樹脂，例えば発泡系合成樹脂の厚肉板材を加工して傾斜面を溝状に形成し，現場切断を可能とすることによって奥行方向に幅調整自在のものとすること等を含めて，本発明の実施に当って，音波反射天井パネル，その音波反射傾斜面，傾斜面，必要に応じて用いる突出傾斜面等の各具体的構造，形状，材質，これらの関係，これらに対する付加，音波反射用天井パネル設置の屋外天井面等は，上記発明の要旨に反しない限り様々な形態のものとすることができる。
【図面の簡単な説明】
【００２６】
【図１】反射屋外騒音伝搬のモデルを示すモデル図である。
【図２】音波反射用天井パネルによる反射屋外騒音再反射のモデルを示すモデル図である。
【図３】音波反射用天井パネルによる反射屋外騒音再反射のモデルを示す建造物屋外天井面の縦断面図である。
【図４】音波反射用天井パネルの形状を示す縦断面図である。
【図５】音波反射用天井パネルの騒音反射状態を示す縦断面図である。
【図６】音波反射用天井パネルの騒音再反射状態を示す縦断面図である。
【図７】他の例に係る音波反射用天井パネルの形状を示す縦断面図である。
【図８】他の例の音波反射用天井パネルによる反射屋外騒音の反射状態を示す縦断面図である。
【符号の説明】
【００２７】
Ａ  建造物
Ｂ  屋外天井面
１０  音波反射用天井パネル
１１  音波反射傾斜面
１２  室内側に向けた下降傾斜の傾斜面
１３  室外側に向けた下降傾斜の傾斜面
１４  突出傾斜面
【図１】
0005105323.tif 000002
【図２】
0005105323.tif 000003
【図３】
0005105323.tif 000004
【図４】
0005105323.tif 000005
【図５】
0005105323.tif 000006
【図６】
0005105323.tif 000007
【図７】
0005105323.tif 000008
【図８】
0005105323.tif 000009